(57)【要約】本発明は、画像を投射スクリーン（２６，５６，８６）上に投射するための投射ディスプレイ装置（１０，４０，６０，７０）に関する。装置は、光変調素子（１８，４８，７８）の配列を含む空間光変調器（１６，４６，６２，７６）と、変調器を照明するよう配置された光源（１２，４２，７２）とを含む。装置は、変調器の各光変調素子が、少なくとも一次元に発散する光によって照明され、その光は変調器によって空間的に変調され、投射スクリーン上に投射される。本発明に従った投射ディスプレイ装置を用いる利点は、投射ディスプレイ装置を極めてコンパクトに実現し得ることである。本発明は、さらに、そのような投射ディスプレイ装置を含むハンドヘルド装置に関する。
2008512714.tif 000002
【特許請求の範囲】
【請求項１】
光変調素子の配列を含む空間光変調器と、
該空間光変調器を照明するよう配置される光源とを含む、
投射ディスプレイ装置であって、
前記空間光変調器の各光変調素子は、少なくとも一次元に発散する光によって照明され、該光は、前記空間光変調器によって空間的に変調されることを特徴とする、
投射ディスプレイ装置。
【請求項２】
前記空間的に変調された光は、投射スクリーンの上に発散器に投射される、請求項１に記載の投射ディスプレイ装置。
【請求項３】
各光変調素子での回析の角度が、前記光源から見られるときに、２つの隣接する光変調素子の間の角度以下である、請求項２に記載の投射ディスプレイ装置。
【請求項４】
画像データを受信し、且つ、前記空間光変調器を制御するよう配置される制御装置をさらに含み、
該制御装置は、各光変調素子での光の回析パターン及び前記受信される画像データに基づき、前記空間光変調器の前記光変調素子を制御するよう構成される、
請求項２又は３に記載の投射ディスプレイ装置。
【請求項５】
光を投射スクリーンの上に投射するためのセグメント化された映写レンズをさらに含む、請求項１に記載の投射ディスプレイ装置。
【請求項６】
前記セグメント化された映写レンズは、映写レンズの配列を含み、各映写レンズは、一組の光変調素子と関連付けられる、請求項５に記載の投射ディスプレイ装置。
【請求項７】
前記光源は、ビーム成形光学素子を含む、請求項１に記載の投射ディスプレイ装置。
【請求項８】
前記空間光変調器は、透過型又は反射型である、請求項１に記載の投射ディスプレイ装置。
【請求項９】
前記空間光変調器は、１Ｄ空間光変調器であり、当該投射ディスプレイ装置は、２Ｄ画像を形成するために、前記空間光変調器によって変調される光を走査するための手段をさらに含む、請求項１に記載の投射ディスプレイ装置。
【請求項１０】
前記１Ｄ空間光変調器は、一次元配列のフォイルバー光弁の配列であり、当該投射ディスプレイ装置は、前記１Ｄ空間光変調器によって変調される光をフィルタリングするための手段をさらに含む、請求項９に記載の投射ディスプレイ装置。
【請求項１１】
前記空間光変調器は、２Ｄ空間光変調器である、請求項１に記載の投射ディスプレイ装置。
【請求項１２】
前記２Ｄ空間光変調器は、透過型ＬＣＤパネル、反射型ＬＣＤパネル、及び、デジタルミラーデバイスのうちの１つである、請求項１１に記載の投射ディスプレイ装置。
【請求項１３】
前記光源は、少なくとも１つのレーザ源である、請求項１に記載の投射ディスプレイ装置。
【請求項１４】
請求項１に記載の投射ディスプレイ装置を含むハンドヘルド装置。
【請求項１５】
当該ハンドヘルド装置は、携帯電話である、請求項１４に記載のハンドヘルド装置。
【発明の詳細な説明】
【技術分野】
【０００１】
本発明は、光配列変調素子を含む空間光変調器と、変調器を照明するよう配置される光源とを含む投射ディスプレイ装置に関する。本発明は、さらに、そのような投射ディスプレイ装置を含むハンドヘルド装置に関する。
【背景技術】
【０００２】
投射ディスプレイ装置は、例えば、とりわけ、携帯ビデオプロジェクタにおいて使用される。投射ディスプレイ装置は、普通、変調器を照射するよう配置された光源又は画像表示パネルを含み、次に、それは画像情報に用いて入射光を変調する。次に、変調された光は、映写レンズによって、投射スクリーン上に投射される。二次元画像を形成するために、光は、走査鏡、例えば、変調器が１Ｄ配列光変調素子である場合には、一次元（１Ｄ）スキャナを介して投射される。２Ｄ変調器が使用されるとき、スキャナを省略し得る。
【０００３】
一次元光弁配列及び一次元走査鏡を含む投射ディスプレイ装置が、米国特許第５，９８２，５５３号の文献中に開示されている。米国特許第５，９８２，５５３号において、光弁配列は、平行光を用いて照明される。光弁配列は、素子が「オン」であるか「オフ」であるかに依存して、入射光を回折又は反射する変調器素子を含む。次に、回折された或いは反射されたビームは、投射レンズを通過する。反射された光ビームは、投射レンズの焦点に集束し、焦点にストップが配置されて、反射されたビームを遮断する。他方、回折された光は、異なる焦点に集束し、ストップを通る。その結果は、投射スクリーン上に投射された光弁配列の画像、即ち、垂直又は水平に変調されたライン画像であり、そのライン画像は、二次元画像を形成するために走査鏡によって走査される。
【０００４】
しかしながら、米国特許第５，９８２，５５３号中の映写レンズは、反射される光を遮断するために、変調器と同一のサイズでなければならない。さらに、無限遠で鮮明な画像を得るために、レンズは、変調器からレンズの焦点距離と等しい距離に配置される。また、ストップは、レンズから離れてほぼ焦点距離に配置されなければならない。故に、変調器からの最小経路長は、焦点距離の約２倍である。投射レンズの最小焦点距離は、レンズの直径のオーダ内にあり、それは投射システムを極めてコンパクトになし得ないことを意味する。コンパクトな投射ディスプレイ装置は、例えば、携帯電話のようなハンドヘルド装置において使用されるときに望ましい。
【０００５】
また、二次元変調器を有する投射ディスプレイ装置、例えば。ＬＣＤパネルの場合には、少なくとも変調器と同一のサイズを有する映写レンズが必要とされる。レンズは、パネルからほぼ頂点距離の距離に配置されなければならない。よって、かなりの容積が依然として投射システムによって取られる。
【発明の開示】
【発明が解決しようとする課題】
【０００６】
コンパクトに実現され得る改良された投射ディスプレイ装置を提供することが本発明の目的である。
【課題を解決するための手段】
【０００７】
以下の記載から明らかになるであろうこの及び他の目的は、導入としての投射ディスプレイ装置によって実現され、変調器の各光変調素子は、少なくとも一次元に発散する光によって照明され、その光は変調器によって空間的に変調される。
【０００８】
変調器パネルを照明する光は、光が光変調素子を打つ角度範囲が、光が他の光変調素子を打つ角度範囲とオーバーラップしないという意味で発散的である。
【０００９】
本発明に従った投射ディスプレイ装置を用いる利点は、投射ディスプレイ装置を極めてコンパクトに実現し得ることである。
【００１０】
本発明の第一実施態様によれば、変調器パネルから空間的に変調される光は、如何なる映写レンズを通ることもなく、投射スクリーン上に発散的に投射される。よって、投射ディスプレイ装置は、基本的に、画像が変調器パネルの影を投射スクリーン上に効果的に投射することによって生み出される影絵芝居として作用する。これは、変調器パネル上の画像が、投射スクリーンのような、如何なる特定の平面内に光学的に集束されないことを意味する。映写レンズが必要とされないので、極めてコンパクトな投射システムを構築することが可能であり、もし投射ディスプレイ装置が重量及びサイズが問題であるハンドヘルド装置内に組み込まれるならば、それはとりわけ有利である。また、映写レンズの不存在は、投射ディスプレイ装置の製造をより安価にする。
【００１１】
好ましくは、各光変調素子での回析角度は、光源から見られるときに、２つの隣接する光変調素子の間の角度以下である。例えば、特定サイズの光変調素子を設けることによって、これを実現し得る。より一層好ましくは、各光変調素子での回析角度は、光源から見られるときに、２つの隣接する光変調素子の間の角度の半分以下である。
【００１２】
従来的には、変調器パネルが平行光を用いて照明されるとき、各光変調素子又は画素での回折は、光がパネルを離れる角に変化を引き起こす。次いで、これはパネルを離れるビームが、パネルからの特定距離で、隣接する画素からの光を完全に覆う原因となり、それによって、画像が鮮明であるパネルからの最大距離が限定される。しかしながら、本発明に従って、発散光でパネル照明することによって、並びに、回析角度を隣接する画素間の角度以下にすることによって、これを回避し得るし、画像はパネルからの如何なる距離でも鮮明である。よって、無限遠の「焦点深度」を有する投射画像を得ることができる。
【００１３】
無限遠の「焦点深度」を備える利点は、投射画像を妨害することなしに、投射スクリーンに向かって或いは投射スクリーンから離れて投射ディスプレイ装置を移動し得ること、或いは、その逆である。もし投射ディスプレイ装置が、使用者によって保持されるときに不規則に動く傾向がある携帯電話のようなハンドヘルド装置内に組み込まれるならば、これは特に有利である。
【００１４】
投射ディスプレイ装置は、さらに、画像データを受信し且つ変調器を制御するための制御装置を含む。好ましくは、本発明の第一実施態様において、投射スクリーン上に画像を最良に投影するために、制御装置は、各光変調素子（又は画素）での光の回折パターン及び受信データに基づき、変調器の光変調素子を制御するよう構成される。
【００１５】
投射画像が上記に説明されたように無限遠の「焦点深度」を有するとしても、画素の境界に起因する回折は画像の解像度を制限し得る。しかしながら、オン状態にある一群の画素の縁部は、オン状態にある単一画素の縁部よりも鮮明になる。よって、特定の画素をオンに特定の画素をオフに選択的に切り換えることによって、或いは、グレースケールを調節することによって、投射画像を向上させることが可能である。どの画素を調節するかは、変調器パネルの各画素での光ビームのための回折パターンに基づき有利に決定される。投射画像がどのように見えるかは、好ましくは、フーリエ光学方法を使用することによって予測され得る。このように、各光変調素子での光の回折パターンを考慮してパネル内容を調節することによって、投射画像を向上し得るし、比較的高品質な画像を得ることができる。
【００１６】
投射画像が限定的な「焦点深度」を有する場合にも、即ち、もし上述されたような回折角度及び隣接する画素間の角度に関する条件が満足されないならば、回折の効果を制限するためにパネル内容の調節を使用し得ることが留意されるべきである。
【００１７】
本発明の第二実施態様によれば、投射ディスプレイ装置は、さらに、変調器からの光を投射スクリーン上に投射するためのセグメント化された映写レンズを含む。よって、セグメント化された映写レンズは、好ましくは、変調器パネルと投射スクリーンとの間に配置される。
【００１８】
セグメント化された映写レンズは、例えば、小さな映写レンズの配列であり、各レンズは、一組の光変調素子、即ち、変調器パネルのサブセット、例えば、１０×１０の光変調素子又は画素に関連付けられる。このように、各レンズは、一組の光変調素子からの光を集束するよう配置され、この第二実施態様に従った投射ディスプレイ装置は、効果的に、小さな投射ディスプレイの配列である。
【００１９】
上記の従来技術に従った従来的な単一の映写レンズのように、セグメント化された映写レンズは、画像を「無限遠」に集束するために、変調器からレンズの焦点距離と等しい距離に配置される。しかしながら、セグメント化された映写レンズの各レンズの焦点距離は、均等な単一の映写レンズの焦点距離よりも短くされ得る。各映写レンズのための焦点距離は、レンズの半径のオーダ内にある。結果的に、セグメント化された映写レンズを変調器パネルにより近接して配置し得るし、セグメント化された映写レンズを利用する投射ディスプレイ装置をよりコンパクトに実現し得るのと同時に、解像度は従来的な映写レンズを使用するときと同じである。また、セグメント化されたレンズの各レンズは、均等な従来的なレンズよりも小さいので、セグメント化されたレンズはより薄くもなり、レンズ全体はよりコンパクトになる。また、各画素での光の小さなオーバーラップの有害な効果を低減するために、セグメント化されたレンズを使用し得る。
【００２０】
別々のレンズからの画像がオーバーラップするので、セグメント化された映写レンズを平行な非発散的な入射光と共に使用し得ないことが留意されるべきである。
【００２１】
好ましくは、本発明に従った投射ディスプレイ装置の光源は、ビーム成形光学素子を含み、それは、変調器パネルの照明のために、光源からの光を発散光に変換するよう構成され得る。１Ｄパネルの場合には、光は、好ましくは、一次元に発散する光に変換され、２Ｄパネルの場合には、光は、好ましくは、二次元に発散する光に変換される。
【００２２】
投射ディスプレイ装置の変調器は、透過型又は反射型であり得る。前者の場合には、変調器パネルは、パネルの背面から照明され、後者の場合には、パネルは前面から照明される。
【００２３】
本発明の１つの実施態様において、変調器は、１Ｄ変調器パネルである、即ち、それは光変調素子の一次元配列を含む。１Ｄ変調器はライン画像を生成し、そのライン画像は、２Ｄ画像を形成するために、例えば、走査鏡によって走査される。
【００２４】
１Ｄ変調器は、例えば、一次元配列のフォイルバー光弁であり得る。例えば、各光弁は、光弁がそのオン状態にあるか或いはオフ状態にあるかに依存して、入射光を反射し或いは散乱するよう配置され得る。オン状態にある光弁（即ち、画素）からの光ビームのみが投射スクリーン上に投射されるよう１Ｄ変調器によって変調される光をフィルタリングするための手段がさらに設けられる。光をフィルタリングするための手段は、例えば、絞りであり得る。
【００２５】
また、他の種類のフォイルバー光弁、並びに、格子光弁（ＧＬＶ）、Ｋｏｄａｋ  ＧＥＭＳ、１Ｄ透過型ＬＣＤパネル、１Ｄ反射型ＬＣＤパネル、又は、１Ｄデジタルミラーデバイス（ＤＭＤ）も使用し得る。
【００２６】
本発明の他の実施態様において、変調器は二次元パネルであり、それによって、パネルの影が投射スクリーン上に投射され、２Ｄ画像を形成する。この実施態様では、走査鏡が不要にされ得る。２Ｄパネルは、例えば、透過型ＬＣＤパネル、反射型ＬＣＤパネル、又は、デジタルミラーデバイス（ＤＭＤ）であり得る。
【００２７】
好ましくは、光源は、少なくとも１つの光源である。レーザ光源を使用する利点は、それが極めて低いエタンデュ(etendue)を有する、即ち、それは良好な点源である。カラー画像が投射されるべき場合には、変調器パネルを異なる色で順次的に照明するために、異なる色の３つのレーザを使用することができ、それによって、カラー画像を形成し得る。レーザ源の代わりとして、例えば、ＵＨＰランプ、ＬＥＤ源を使用し得る。
【００２８】
本発明の他の特徴によれば、上記に従った投射ディスプレイ装置を含むハンドヘルド装置が提供される。ハンドヘルド装置は、例えば、携帯電話であり得る。
【００２９】
現時点における好適実施態様を示す添付の図面を参照して、本発明のこれらの及び他の特徴を以下にさらに詳細に記載する。
【発明を実施するための最良の形態】
【００３０】
図１ａ及び１ｂは、本発明の第一実施態様の１つの変形に従った投射ディスプレイ装置１０を示している。投射ディスプレイ装置１０は、レーザ光源１２と、ビーム成形光学素子１４と、一次元配列の光変調素子１８を含む空間光変調器１６と、画像データを受信し且つ変調器１６を制御するための制御装置１９と、スリット絞り２０と、走査鏡２２とを含む。
【００３１】
１Ｄ変調器１６の光変調素子１８は、この場合には、国際特許出願第ＩＢ２００４／０５１２２０号に記載されているような、フォイルバー(foil bar)光弁である。各光変調素子１８は、素子がそのオン状態又はオフ状態にあるか否か、即ち、画素が明るいか或いは暗いかに依存して、入射光を正反射するか或いは入射光を全方向に散乱するよう構成されている。正反射光は０次オーダモードとして既知である。
【００３２】
投射ディスプレイ装置１０の動作直後、光源１２によって生成される光は、光配列変調素子１８を照明するために、ビーム成形光学素子１４を用いて、一次元に発散する光に変換される。光配列変調素子１８上に入射する光は、図１ｂに見られるように、光配列変調素子１８の長さ方向に対応する寸法に発散する。
【００３３】
変調器１６は、発散光を受光し、それを部分的に変調してライン画像を形成する。光配列変調素子１８を通過後、オフ状態にある画素からの発散光２８のビームは、スリット絞り２０によって遮断される。他方、オン状態にある画素からの反射光２４のビームは、スリット絞り２０を通じて導かれ、投射スクリーン２６上に投射される。その結果は、スクリーン２６上に投射された垂直な（或いは水平な）空間変調されたライン画像である。このライン画像は、回転する走査鏡２２を使用することによって二次元画像を形成するために、さらに走査される。
【００３４】
図１ａから分かるように、光配列変調素子１８によって正反射される光源１２からのビームは、ビーム成形光学素子１４からスクリーン２６に至るまで発散する。投射ディスプレイ装置１０は、画像を投射スクリーン上に投射するために、如何なる映写レンズをも含まず、それによって、投射ディスプレイ装置１０をコンパクトに実現し得る。
【００３５】
上述された特殊なフォイルバー光弁の代替として、他のフォイルバー光弁も使用し得る。また、格子光弁（ＧＬＶ）又はＫｏｄａｋ  ＧＥＭＳを使用し得る。その場合には、各光弁は、例えば、上述の米国特許第５，９８２，５５３号に記載のように、入射光を反射し或いは回折するよう配置される。その場合には、絞りをビームストップによって置換することができ、ビームストップは反射光を遮断し、１次オードモードの回折光を通す。また、第二又はより高次のオーダモードが除去されるのが好ましい。
【００３６】
さらに他の代替として、１Ｄ透過型ＬＣＤパネル、１Ｄ反射型ＬＣＤパネル、又は、１Ｄデジタルミラーデバイス（ＤＭＤ）を変調器として使用し得る。ＬＣＤパネルの場合には、絞りは不要である。１Ｄ反射型ＬＣＤパネル及び１Ｄデジタルミラーデバイス（ＤＭＤ）のために、組織構成は、図１ａ及び１ｂに示されるディスプレイ投射システムと類似する。透過型ＬＣＤパネルの場合には、光源は変調器パネルの背後に配置される。
【００３７】
図２ａ及び２ｂは、本発明の第一実施態様の他の変形に従った投射ディスプレイ装置４０を示している。投射ディスプレイ装置４０は、レーザ光源４２と、ビーム成形光学素子４４と、二次元配列の光変調素子４８を含む透過型空間光変調器４６、例えば、透過型ＬＣＤパネルと、画像データを受信し且つ変調器４６を制御するための制御装置５０とを含む。変調器４６の各光変調素子４８は、もし素子又は画素がオンであるならば入射光を通し、もし素子がオフであるならば入射光を遮断するよう配置される。
【００３８】
投射ディスプレイ装置４０の動作直後、光源４２によって生成される光は、図２ａ及び２ｂに示されるように、変調器４６を照明するために、ビーム成形光学素子４４を使用して、二次元に発散する光に変換される。
【００３９】
変調器４６は、発散光を受光し、それを空間的に変調して二次元画像を形成するよう配置されている。オン状態にある画素上に入射する光ビームは、変調器パネル４６を通じて透過され、投射スクリーン５６上に投射されるのに対し、オフ状態にある画素上に入射する光ビームは遮断され、故に、スクリーン４６に到達しない。このように、変調器パネル４６の影を投射スクリーン５６上に効果的に投射することによって画像が生み出される。
【００４０】
図１ａ及び１ｂの装置１０と同様に、この投射ディスプレイ装置４０は、映写レンズなしに機能し、それは再びコンパクトな投射ディスプレイ装置を可能にする。
【００４１】
図２ａ及び２ｂ中の透過型２Ｄ変調器パネルを反射型ＬＣＤパネル又はデジタルミラーデバイス（ＤＭＤ）のような反射型２Ｄパネルによって置換し得る。この場合には、パネルは、正面から照明されなければならない。図３は、反射型２Ｄパネルを含む本発明に従った投射ディスプレイシステム６０の組織構成の実施例を示しており、そこでは、光源及びビーム成形光学素子４２からの光を変調器パネル６２上に向けるために、偏光ビームスプリッタ６９が使用される。ＤＭＤパネルの場合には、偏光方向を回転するために、１／４−λ板も組み込まれるべきである。
【００４２】
上述のように、本発明の第一実施態様に従った投射ディスプレイ装置は、如何なる映写レンズをも含まない。これは投射画像の解像度が限定的であることを意味する。このための理由は、変調器パネルの各画素での光の回折である。
【００４３】
表示され得るべき最小の特徴は、回析限界から見い出される。画素での回折に起因する光ビームの角度における変化は、θ＝λ／ｄのオーダ内にあり、ここで、θは角度における変化であり、λは、光の波長であり、ｄは画素ピッチである。最小画素ピッチを導き出すために、角度θにおける変化は、光源から見られると、１つの画素から隣接する画素への間で移動するときに、即ち、φ＝ｄ／Ｌであるときに、角度Φにおける変化と同一でなければならず、ここで、φは、角度であり、Ｌは、パネルへの光源の（有効）距離である。φ＝θという設定は、
【００４４】
【数１】
2008512714.tif 000003
及び
【００４５】
【数２】
2008512714.tif 000004
を生じる。よって、例えば、パネル背後の光源２を用いたλ＝５００ｎｍを備える緑色光のために、これは変調器パネルで０．１ｍｍ画素を生じる。２ｃｍの高さパネルのために、互いに下方に約２００画素を表示することが可能である。投射スクリーンでの画素サイズは、さらに、
【００４６】
【数３】
2008512714.tif 000005
によってもたらされ、ここで、Ｌｔｏｔは、光源と投射スクリーンとの間の距離である。光源と投射スクリーンとの間の１０ｃｍの距離のために、これは０．５ｍｍの画素サイズを生じる。
【００４７】
しかしながら、画素のサイズに依存して、オン状態にある一群の画素の縁部は、オン状態にある単一画素の縁部よりも鮮明になる。故に、特定の画素を選択的にオンに切り換え且つ特定の画素をオフに切り換えることによって、或いは、グレースケールを調節することによって、投射画像を向上されることが可能である。好ましくは、どの画素が調節するかは、変調器パネルの各画素での光ビームのための回折パターンに基づいて決定されなければならない。投射画像がどのように見えるかは、フーリエ光学方法を使用することによって予測され得る。このように、回折パターンを考慮に入れてパネル内容を調節することによって、投射画像を改良することができ、且つ、比較的高品質な画像を得ることができる。
【００４８】
投射画像の品質をさらに向上する方法は、画素境界に起因する干渉パターンが無視し得る程度であるよう、即ち、画素の連続体を作るよう、画素間の境界を極めて小さくすることである。例えば、透過側ＬＣＤ変調器パネルの場合には、これは変調器パネルの両側にレンズ配列を加えることによって実現し得る。また、画素の連続体を効果的に有するＧＬＶ及びＫｏｄａｋ  ＧＥＭＳも使用し得る。
【００４９】
図４は、本発明の第二実施態様に従った投射ディスプレイ装置７０を示している。投射ディスプレイ装置７０は、レーザ光源７２と、ビーム成形光学素子７４と、二次元配列の光変調素子７８を含む透過型空間光変調器７６、例えば、透過型ＬＣＤパネルと、画像データを受信し且つ変調器７６を制御するための制御装置８０と、小さな映写レンズ８０の配列を含むセグメント化された映写レンズ８２とを含む。変調器７６の各光変調素子７８は、もし素子又は画素が「オン」であるならば入射光を通し、もし素子が「オフ」であるならば入射光を遮断するよう配置されている。
【００５０】
図２ａ及び２ｂに関して上述されたように、光源７２によって生成される光は、変調器７６を照明するために、ビーム成形光学素子７４を使用して、二次元に発散する光に変換される。
【００５１】
変調器７６は、発散光を受光し、それを空間的に変調して、二次元画像を形成するよう配置される。オフ状態において画素上に入射する光ビームは遮断され、故に、セグメント化された映写レンズ８２に到達しないのに対し、オン状態にある画素上に入射する光ビームは変調器パネル７６を通じて透過され、セグメント化された映写レンズ８２を用いて投射スクリーン８２上に投射される。投射画像の解像度は、従来的な非セグメント化された映写レンズを使用するときと同一であり、同時に、各映写レンズ８４のより短い焦点距離の故に、セグメント化された映写レンズ８２を変調器７６により近接して配置し得る。焦点距離は、映写レンズ８４の半径のオーダ内にある。
【００５２】
セグメント化された映写レンズ８２の各レンズ８４の故に、スクリーン上の画素は、各レンズ８４のために、頂部から底部に並びに左から右に逆転される。従って、パネル内容物は、制御装置８０を用いて、相応して調節されなければならない。
【００５３】
セグメント化された映写レンズ８２は、パネル７６からセグメント化された映写レンズ８２へ発散する光の故に、変調器パネル７６よりも幾分大きいことが留意されるべきである。また、レンズ８４は、投影される画像中のレンズ８４の縁部の如何なる視認性をも低減するために、僅かにオーバーラップし得る。
【００５４】
上記された投射ディスプレイ装置の両方の実施態様のために、既知の技法に従って色を実現し得る。例えば、変調器パネルを照明する光源は、異なる色の３つのレーザを含むことができ、それによって、色画像が形成されるよう、或いは、色フィルタを用い得るよう等、３つの色のそれぞれを順次的に投射し得る。
【００５５】
本発明は上記された実施態様に限定されない。当業者であれば、添付の請求項に請求されるような発明の範囲から逸脱することなしに、変更及び変形を成し得ることを認識するであろう。例えば、代替的に、セグメント化された映写レンズを、図１ａ及び１ｂに関して記載される光弁配列のような１Ｄ変調器パネルと共に使用し得る。
【図面の簡単な説明】
【００５６】
【図１ａ】１Ｄ変調器及び走査鏡を含む本発明の第一実施態様の１つの変形に従った投射ディスプレイ装置を概略的に示す上面図である。
【図１ｂ】図１ａの投射ディスプレイ装置を概略的に示す側面図である。
【図２ａ】透過型２Ｄ変調器パネルを含む本発明の第一実施態様の他の変形に従った投射ディスプレイ装置を概略的に示す上面図である。
【図２ｂ】図２ａの投射ディスプレイ装置を概略的に示す側面図である。
【図３】反射型２Ｄ変調器パネルを含む本発明に従った投射ディスプレイ装置を概略的に示す側面図である。
【図４】セグメント化された映写レンズを含む本発明の第二実施態様を概略的に示す側面図である。
【図１ａ】
2008512714.tif 000006
【図１ｂ】
2008512714.tif 000007
【図２ａ】
2008512714.tif 000008
【図２ｂ】
2008512714.tif 000009
【図３】
2008512714.tif 000010
【図４】
2008512714.tif 000011
【国際調査報告】
2008512714.tif 000012
2008512714.tif 000013
2008512714.tif 000014